(57)【要約】      （修正有）【課題】温度条件および湿度条件に応じて除湿運転と送風運転と暖房運転とのいずれかを行うことができ、室内の温湿度環境を最適に保持することができる室内空調システムを提供する。【解決手段】室内空調システム１０では、２コイル式のヒートポンプエアコン室内機１６ａが冷却コイル３１の交換熱を使用して冷却除湿した冷却除湿空気を加熱コイル３２の交換熱を使用して再熱する除湿運転と、冷却コイルおよび加熱コイルの交換熱を使用しない送風運転と、冷却コイルの交換熱を使用せずに加熱コイルの交換熱を使用した暖房運転とのいずれかを行い、１コイル式のヒートポンプエアコン室内機１７ａが冷却コイルの交換熱を使用した冷房運転を行い、１コイル式のヒートポンプエアコン室内機が冷房運転を継続しつつ、室内の設定温度条件および設定湿度条件に応じて２コイル式のヒートポンプエアコン室内機の除湿運転と送風運転と暖房運転とが切り替わる。【選択図】図１
2020067203.tif 000002
【特許請求の範囲】
【請求項１】
加熱コイルおよび冷却コイルを有する２コイル式のヒートポンプエアコン室内機と、冷却コイルを有する１コイル式のヒートポンプエアコン室内機と、前記２コイル式のヒートポンプエアコン室内機および前記１コイル式のヒートポンプエアコン室内機に熱媒配管によって熱媒流体を送還する冷暖同時運転型ヒートポンプエアコン室外機とから構成されたヒートポンプ空調装置を利用し、前記２コイル式のヒートポンプエアコン室内機と前記１コイル式のヒートポンプエアコン室内機とを同一の室内に設置し、前記ヒートポンプ空調装置の運転によって前記室内の温湿度を調整する室内空調システムにおいて、
前記２コイル式のヒートポンプエアコン室内機が、前記冷却コイルの交換熱を使用して冷却除湿した冷却除湿空気を前記加熱コイルの交換熱を使用して再熱する除湿運転と、前記加熱コイルおよび前記冷却コイルの交換熱を使用しない送風運転と、前記冷却コイルの交換熱を使用せずに前記加熱コイルの交換熱を使用した暖房運転とのいずれかを行い、前記１コイル式のヒートポンプエアコン室内機が、前記冷却コイルの交換熱を使用した冷房運転を行い、
前記室内空調システムでは、前記１コイル式のヒートポンプエアコン室内機が前記冷房運転を継続しつつ、前記室内の設定温度条件および設定湿度条件に応じて前記２コイル式のヒートポンプエアコン室内機の前記除湿運転と前記送風運転と前記暖房運転とが切り替わることを特徴とする室内空調システム。
【請求項２】
前記室内空調システムが、前記室内の露点温度を測定する露点温度センサを含み、前記露点温度センサが測定した前記室内の測定露点温度とあらかじめ設定された設定露点温度とを比較し、前記測定露点温度が前記設定露点温度よりも高い場合、前記２コイル式のヒートポンプエアコン室内機が前記除湿運転を行うとともに前記１コイル式のヒートポンプエアコン室内機が前記冷房運転を行う第１空調手段を実施し、前記測定露点温度が前記設定露点温度よりも低い場合、前記２コイル式のヒートポンプエアコン室内機が前記送風運転を行うとともに前記１コイル式のヒートポンプエアコン室内機が前記冷房運転を行う第２空調手段を実施し、前記測定露点温度が前記設定露点温度よりも低く、前記温度が低い場合、前記２コイル式のヒートポンプエアコン室内機が前記暖房運転を行うとともに前記１コイル式のヒートポンプエアコン室内機が前記冷房運転を行う第３空調手段を実施する請求項１に記載の室内空調システム。
【請求項３】
前記室内には、複数台の２コイル式の第１〜第ｎヒートポンプエアコン室内機と複数台の１コイル式の第１〜第ｎヒートポンプエアコン室内機とが設置され、前記第１空調手段では、前記２コイル式の第１〜第ｎヒートポンプエアコン室内機が前記除湿運転を行うとともに、前記１コイル式の第１〜第ｎヒートポンプエアコン室内機が前記冷房運転を行い、前記第２空調手段では、前記２コイル式の第１〜第ｎヒートポンプエアコン室内機が前記送風運転を行うとともに、前記１コイル式の第１〜第ｎヒートポンプエアコン室内機が前記冷房運転を行い、前記第３空調手段では、前記２コイル式の第１〜第ｎヒートポンプエアコン室内機が前記暖房運転を行うとともに、前記１コイル式の第１〜第ｎヒートポンプエアコン室内機が前記冷房運転を行う請求項２に記載の室内空調システム。
【請求項４】
前記露点温度センサが、前記２コイル式の第１〜第ｎヒートポンプエアコン室内機のうちのいずれかの２コイル式のヒートポンプエアコン室内機の内部における室内空気取り入れ口近傍に設置され、該２コイル式のヒートポンプエアコン室内機の内部における室内空気取り入れ口近傍の露点温度を測定し、前記室内空調システムが、前記露点温度センサが測定した前記２コイル式のヒートポンプエアコン室内機の内部における室内空気取り入れ口近傍の測定露点温度とあらかじめ設定された設定露点温度とを比較し、前記第１空調手段〜前記第３空調手段のうちのいずれかを実施する請求項３に記載の室内空調システム。
【請求項５】
前記室内空調システムが、前記２コイル式の第１〜第ｎヒートポンプエアコン室内機のうちのいずれかの２コイル式のヒートポンプエアコン室内機の内部における室内空気取り入れ口近傍に設置されて乾球温度を測定する第１乾球温度センサを含み、前記第１乾球温度センサが測定した前記２コイル式のヒートポンプエアコン室内機の内部における室内空気取り入れ口近傍の測定乾球温度とあらかじめ設定された設定乾球温度とを比較し、前記測定露点温度が前記設定露点温度よりも低く、前記測定乾球温度が前記設定乾球温度よりも高い場合、前記２コイル式の第１〜第ｎヒートポンプエアコン室内機が前記送風運転を行うとともに、前記１コイル式の第１〜第ｎヒートポンプエアコン室内機が冷房運転を行い、前記測定露点温度が前記設定露点温度よりも低く、前記測定乾球温度が前記設定乾球温度よりも低い場合、前記２コイル式の第１〜第ｎヒートポンプエアコン室内機が前記暖房運転を行うとともに、前記１コイル式の第１〜第ｎヒートポンプエアコン室内機が冷房運転を行う請求項３ないし請求項４いずれかに記載の室内空調システム。
【請求項６】
前記室内が、手術室の室内であり、前記２コイル式の第１〜第ｎヒートポンプエアコン室内機と前記１コイル式の第１〜第ｎヒートポンプエアコン室内機とが、前記手術室の手術台を囲むように該手術室の室内に設置されている請求項３ないし請求項５いずれかに記載の室内空調システム。
【請求項７】
前記室内空調システムでは、前記２コイル式の第１〜第ｎヒートポンプエアコン室内機と前記１コイル式の第１〜第ｎヒートポンプエアコン室内機とが床置き型であり、同数の前記２コイル式の第１〜第ｎヒートポンプエアコン室内機と前記１コイル式の第１〜第ｎヒートポンプエアコン室内機とが前記手術室の室内の隅または端あるいは壁内に設置され、前記２コイル式の第１〜第ｎヒートポンプエアコン室内機および前記１コイル式の第１〜第ｎヒートポンプエアコン室内機によって作られた空調空気が前記手術室の天井から給気される請求項６に記載の室内空調システム。
【請求項８】
前記室内空調システムが、前記２コイル式の第１〜第ｎヒートポンプエアコン室内機のうちのいずれかの２コイル式のヒートポンプエアコン室内機の内部における室内空気取り入れ口近傍に設置され、前記１コイル式の第１〜第ｎヒートポンプエアコン室内機の比例制御に使用する乾球温度を測定する第２乾球温度センサを含み、前記露点温度センサと前記第１乾球温度センサと前記第２乾球温度センサとが、同一の２コイル式のヒートポンプエアコン室内機の内部における室内空気取り入れ口近傍に設置されている請求項５ないし請求項７いずれかに記載の室内空調システム。
【発明の詳細な説明】
【技術分野】
【０００１】
本発明は、ヒートポンプ空調装置を利用して室内の温湿度を調節する室内空調システムに関する。
【背景技術】
【０００２】
圧縮機、四方弁、室外熱交換器を有する室外機と、複数台の室内機とを熱媒配管で接続して冷凍サイクルを構成し、複数台の室内機のうちの少なくとも１台が冷却除湿運転可能である多室型空気調和機が開示されている（特許文献１参照）。この多室型空気調和機は、冷房中間期であっても冷え過ぎて肌寒くなることを防止し、冷却除湿運転を行う室内機と冷房運転を行う室内機とが混在した場合でも、冷房運転および冷却除湿運転の性能を落とすことなく、安定した運転状態を実現する。
【０００３】
また、冷却コイルを有する空調機と、加熱コイルおよび冷却コイルを有する空調機と、手術台の直上に設けられた第１吹出口と、第１吹出口の周囲に設けられた第２吹出口とを備え、第１吹出口が室温よりも高い２６℃以上の空気を手術台に向かって吹き出し、第２吹出口が室温よりも低温の空気を手術台の周囲に向かって直下に吹き出し、第２吹出口の内側部分から吹き出す空気の風速が外側部分から吹き出す空気の風速よりも低い手術室空調システムが開示されている（特許文献２参照）。
【先行技術文献】
【特許文献】
【０００４】
【特許文献１】特開２００６−１９４５２５号公報
【特許文献２】特開２０１３−１４８２４１号公報
【発明の概要】
【発明が解決しようとする課題】
【０００５】
大規模病院施設では、屋外空気を居室に供給する空調経路の途中に外気処理用空気調和機を使用し、一定の調温調湿処理をした空気を居室に送ることにより安定した居室内の温湿度制御が行われる。一方、中小規模の病院施設では、調温調湿された外気が供給されていない形態が多い。こうした中小規模の病院においては、前記特許文献１に開示の多室型空気調和機や前記特許文献２に開示の手術室空調システムは、室内の乾球温度測定値に応じた温度制御により、冷房運転、除湿運転（再熱除湿運転）、暖房運転を行っている。したがって、中間期の梅雨時や雨天時において室内乾球温度測定値によって送風運転が実行された場合、室内空気が高湿度であっても室内乾球温度が低ければ冷房運転や除湿運転が実行されず、居住者に不快感を与えることがある。
【０００６】
前記特許文献１に開示の多室型空気調和機や前記特許文献２に開示の手術室空調システムは、冷房運転と除湿運転とを同時に行うことはできるが、室内の温度条件や湿度条件によって除湿運転から送風運転や暖房運転に切り替えることはできず、室内の温度や湿度にかかわらず不要な除湿運転が継続して行われる場合があり、除湿運転によって室内の湿度が必要以上に低下して室内の湿度が適度な湿度から外れるとともに、室内の温度が適度な温度から外れ、室内の温湿度環境を最適に保持することができない場合がある。また、室内の温度を上昇させる暖房運転を行うことができず、室内の温度が低い時期に室内の温度環境を最適に保持することができない場合がある。さらに、除湿運転不要時に除湿運転が行われることで加熱コイルにおいて無駄な熱エネルギーが消費され、省エネを図ることができない。
【０００７】
本発明の目的は、温度条件および湿度条件に応じて除湿運転と送風運転と冷房運転と暖房運転とのいずれかを行うことができ、室内の温湿度環境を最適に保持することができる室内空調システムを提供することにある。本発明の他の目的は、冷暖同時運転型ヒートポンプシステムでありながら、室内の温度が低い時期に除湿とともに室内の温度を上昇させることができ、室内の温度環境を最適に保持することができる室内空調システムを提供することにある。本発明の他の目的は、冷却除湿不要時に冷却コイルや加熱コイルの熱交換を停止させることで、省エネルギーを図ることができる室内空調システムを提供することにある。
【課題を解決するための手段】
【０００８】
前記課題を解決するための本発明の前提は、加熱コイルおよび冷却コイルを有する２コイル式のヒートポンプエアコン室内機と、冷却コイルを有する１コイル式のヒートポンプエアコン室内機と、２コイル式のヒートポンプエアコン室内機および１コイル式のヒートポンプエアコン室内機に熱媒配管によって熱媒流体を送還する冷暖同時運転型ヒートポンプエアコン室外機とから構成されたヒートポンプ空調装置を利用し、２コイル式のヒートポンプエアコン室内機と１コイル式のヒートポンプエアコン室内機とを同一の室内に設置し、ヒートポンプ空調装置の運転によって室内の温湿度を調整する室内空調システムである。
【０００９】
前記前提における本発明の特徴としては、２コイル式のヒートポンプエアコン室内機が、冷却コイルの交換熱を使用して冷却除湿した冷却除湿空気を加熱コイルの交換熱を使用して再熱する除湿運転と、加熱コイルおよび冷却コイルの交換熱を使用しない送風運転と、冷却コイルの交換熱を使用せずに加熱コイルの交換熱を使用した暖房運転とのいずれかを行い、１コイル式のヒートポンプエアコン室内機が、冷却コイルの交換熱を使用した冷房運転を行い、室内空調システムでは、１コイル式のヒートポンプエアコン室内機が前房運転を継続しつつ、室内の設定温度条件および設定湿度条件に応じて２コイル式のヒートポンプエアコン室内機の除湿運転と送風運転と暖房運転とが切り替わることにある。
【００１０】
本発明の一例としては、室内空調システムが、室内の露点温度を測定する露点温度センサを含み、露点温度センサが測定した室内の測定露点温度とあらかじめ設定された設定露点温度とを比較し、測定露点温度が設定露点温度よりも高い場合、２コイル式のヒートポンプエアコン室内機が除湿運転を行うとともに１コイル式のヒートポンプエアコン室内機が冷房運転を行う第１空調手段を実施し、測定露点温度が設定露点温度よりも低い場合、２コイル式のヒートポンプエアコン室内機が送風運転を行うとともに１コイル式のヒートポンプエアコン室内機が冷房運転を行う第２空調手段を実施し、測定露点温度が設定露点温度よりも低く、温度が低い場合、２コイル式のヒートポンプエアコン室内機が暖房運転を行うとともに１コイル式のヒートポンプエアコン室内機が冷房運転を行う第３空調手段を実施する。
【００１１】
本発明の他の一例として、室内には、複数台の２コイル式の第１〜第ｎヒートポンプエアコン室内機と複数台の１コイル式の第１〜第ｎヒートポンプエアコン室内機とが設置され、第１空調手段では、２コイル式の第１〜第ｎヒートポンプエアコン室内機が除湿運転を行うとともに、１コイル式の第１〜第ｎヒートポンプエアコン室内機が冷房運転を行い、第２空調手段では、２コイル式の第１〜第ｎヒートポンプエアコン室内機が送風運転を行うとともに、１コイル式の第１〜第ｎヒートポンプエアコン室内機が冷房運転を行い、第３空調手段では、２コイル式の第１〜第ｎヒートポンプエアコン室内機が暖房運転を行うとともに、１コイル式の第１〜第ｎヒートポンプエアコン室内機が冷房運転を行う。
【００１２】
本発明の他の一例としては、露点温度センサが、２コイル式の第１〜第ｎヒートポンプエアコン室内機のうちのいずれかの２コイル式のヒートポンプエアコン室内機の内部における室内空気取り入れ口近傍に設置され、２コイル式のヒートポンプエアコン室内機の内部における室内空気取り入れ口近傍の露点温度を測定し、室内空調システムが、露点温度センサが測定した２コイル式のヒートポンプエアコン室内機の内部における室内空気取り入れ口近傍の測定露点温度とあらかじめ設定された設定露点温度とを比較し、第１空調手段〜第３空調手段のうちのいずれかを実施する。
【００１３】
本発明の他の一例としては、室内空調システムが、２コイル式の第１〜第ｎヒートポンプエアコン室内機のうちのいずれかの２コイル式のヒートポンプエアコン室内機の内部における室内空気取り入れ口近傍に設置されて乾球温度を測定する乾球温度センサを含み、乾球温度センサが測定した２コイル式のヒートポンプエアコン室内機の内部における室内空気取り入れ口近傍の測定乾球温度とあらかじめ設定された設定乾球温度とを比較し、測定露点温度が設定露点温度よりも低く、測定乾球温度が設定乾球温度よりも高い場合、２コイル式の第１〜第ｎヒートポンプエアコン室内機が送風運転を行うとともに、１コイル式の第１〜第ｎヒートポンプエアコン室内機が冷房運転を行い、測定露点温度が設定露点温度よりも低く、測定乾球温度が設定乾球温度よりも低い場合、２コイル式の第１〜第ｎヒートポンプエアコン室内機が暖房運転を行うとともに、１コイル式の第１〜第ｎヒートポンプエアコン室内機が冷房運転を行う。
【００１４】
本発明の他の一例としては、室内が手術室の室内であり、２コイル式の第１〜第ｎヒートポンプエアコン室内機と１コイル式の第１〜第ｎヒートポンプエアコン室内機とが手術室の手術台を囲むように手術室の室内に設置されている。
【００１５】
本発明の他の一例として、室内空調システムでは、２コイル式の第１〜第ｎヒートポンプエアコン室内機と１コイル式の第１〜第ｎヒートポンプエアコン室内機とが床置き型であり、同数の２コイル式の第１〜第ｎヒートポンプエアコン室内機と１コイル式の第１〜第ｎヒートポンプエアコン室内機とが手術室の室内の隅または端あるいは壁内に設置され、２コイル式の第１〜第ｎヒートポンプエアコン室内機および１コイル式の第１〜第ｎヒートポンプエアコン室内機によって作られた空調空気が手術室の天井から給気される。
【００１６】
本発明の他の一例としては、室内空調システムが、２コイル式の第１〜第ｎヒートポンプエアコン室内機のうちのいずれかの２コイル式のヒートポンプエアコン室内機の内部における室内空気取り入れ口近傍に設置され、１コイル式の第１〜第ｎヒートポンプエアコン室内機の比例制御に使用する乾球温度を測定する第２乾球温度センサを含み、露点温度センサと第１乾球温度センサと第２乾球温度センサとが、同一の２コイル式のヒートポンプエアコン室内機の内部における室内空気取り入れ口近傍に設置されている。
【発明の効果】
【００１７】
本発明に係る室内空調システムによれば、２コイル式のヒートポンプエアコン室内機が冷却コイルの交換熱を使用して冷却除湿した冷却除湿空気を加熱コイルの交換熱を使用して再熱する除湿運転と、加熱コイルおよび冷却コイルの交換熱を使用しない送風運転と、冷却コイルの交換熱を使用せずに加熱コイルの交換熱を使用した暖房運転とのいずれかを行い、１コイル式のヒートポンプエアコン室内機が冷却コイルの交換熱を使用した冷房運転を行い、１コイル式のヒートポンプエアコン室内機が冷房運転を継続しつつ、室内の設定温度条件および設定湿度条件に応じて２コイル式のヒートポンプエアコン室内機の除湿運転と送風運転と暖房運転とが切り替わるから、室内の温度や湿度によって２コイル式のヒートポンプエアコン室内機の運転モードを切り替えることができ、１コイル式のヒートポンプエアコン室内機において冷冷房転を行うとともに２コイル式のヒートポンプエアコン室内機において除湿運転と送風運転と暖房運転とのいずれかを行うことで、除湿運転が継続することによって室内の湿度が必要以上に低下することはなく、室内の湿度が適度な湿度から外れることや室内の温度が適度な温度から外れることはなく、室内の温湿度環境を最適に保持することができる。室内空調システムは、２コイル式のヒートポンプエアコン室内機が室内の温度を上昇させる暖房運転を行うことができるから、室内の温度が低い時期に室内の温度を上昇させることができ、室内の温度環境を最適に保持することができる。室内空調システムは、冷却除湿不要時に、加熱コイルおよび冷却コイルの交換熱を使用しない送風運転または冷却コイルの交換熱を使用せずに加熱コイルの交換熱を使用した暖房運転とのいずれかを行うことで、冷却コイルや加熱コイルにおける交換熱の使用を停止させるから、冷却コイルや加熱コイルにおいて無駄な熱エネルギーが消費されることはなく、システムの省エネを図ることができる。室内空調システムは、冷却除湿の再熱に電気ヒーターではなくヒートポンプ式熱源を使用しているため、消費電力の大きな電気ヒーターを用いるシステムに較べ、省エネを図ることができる。
【００１８】
室内の露点温度を測定する露点温度センサを含み、露点温度センサが測定した室内の測定露点温度とあらかじめ設定された設定露点温度とを比較し、測定露点温度が設定露点温度よりも高い場合、２コイル式のヒートポンプエアコン室内機が除湿運転を行うとともに１コイル式のヒートポンプエアコン室内機が冷房運転を行う第１空調手段を実施し、測定露点温度が設定露点温度よりも低い場合、２コイル式のヒートポンプエアコン室内機が送風運転を行うとともに１コイル式のヒートポンプエアコン室内機が冷房運転を行う第２空調手段を実施し、測定露点温度が設定露点温度よりも低く、温度が低い場合、２コイル式のヒートポンプエアコン室内機が暖房運転を行うとともに１コイル式のヒートポンプエアコン室内機が冷房運転を行う第３空調手段を実施する室内空調システムは、露点温度センサが測定した室内の測定露点温度に応じて２コイル式のヒートポンプエアコン室内機において除湿運転を行う第１空調手段と２コイル式のヒートポンプエアコン室内機において送風運転を行う第２空調手段と２コイル式のヒートポンプエアコン室内機において暖房運転を行う第３空調手段とのいずれかを実施するから、室内の露点温度に応じて２コイル式のヒートポンプエアコン室内機の運転モードを切り替えることができ、１コイル式のヒートポンプエアコン室内機において冷房運転を行うとともに２コイル式のヒートポンプエアコン室内機において除湿運転と送風運転と暖房運転とのいずれかを行うことで、除湿運転が継続することによって室内の湿度が必要以上に低下することはなく、室内の湿度が適度な湿度から外れることや室内の温度が適度な温度から外れることはなく、温度と湿度とのバランスが整った良好な温湿度環境を作ることができ、室内の温湿度環境を最適に保持することができる。室内空調システムは、２コイル式のヒートポンプエアコン室内機が室内の温度を上昇させる暖房運転を行うことで、室内の温度が低い時期に室内の温度を上昇させることができ、室内の温度環境を最適に保持することができる。室内空調システムは、露点温度センサが測定した室内の露点温度によっては冷却除湿運転が不要な場合があるが、その場合に２コイル式のヒートポンプエアコン室内機が加熱コイルおよび冷却コイルの交換熱を使用しない送風運転または冷却コイルの交換熱を使用せずに加熱コイルの交換熱を使用した暖房運転とのいずれかを行うことで、冷却コイルや加熱コイルにおける交換熱の使用を停止させるから、冷却コイルや加熱コイルにおいて無駄な熱エネルギーが消費されることはなく、システムの省エネを図ることができる。
【００１９】
複数台の２コイル式の第１〜第ｎヒートポンプエアコン室内機と複数台の１コイル式の第１〜第ｎヒートポンプエアコン室内機とが室内に設置され、第１空調手段において、２コイル式の第１〜第ｎヒートポンプエアコン室内機が除湿運転を行うとともに、１コイル式の第１〜第ｎヒートポンプエアコン室内機が冷房運転を行い、第２空調手段において、２コイル式の第１〜第ｎヒートポンプエアコン室内機が送風運転を行うとともに、１コイル式の第１〜第ｎヒートポンプエアコン室内機が冷房運転を行い、第３空調手段において、２コイル式の第１〜第ｎヒートポンプエアコン室内機が暖房運転を行うとともに、１コイル式の第１〜第ｎヒートポンプエアコン室内機が冷房運転を行う室内空調システムは、測定露点温度が設定露点温度よりも高い場合、第１空調手段において、２コイル式の第１〜第ｎヒートポンプエアコン室内機が除湿運転を行うとともに１コイル式の第１〜第ｎヒートポンプエアコン室内機が冷房運転を行い、測定露点温度が設定露点温度よりも低い場合、第２空調手段において、２コイル式の第１〜第ｎヒートポンプエアコン室内機が送風運転を行うとともに１コイル式の第１〜第ｎヒートポンプエアコン室内機が冷房運転を行い、測定露点温度が設定露点温度よりも低く、温度が低い場合、第３空調手段において、２コイル式の第１〜第ｎヒートポンプエアコン室内機が暖房運転を行うとともに１コイル式の第１〜第ｎヒートポンプエアコン室内機が冷房運転を行うから、室内の露点温度に応じて２コイル式の第１〜第ｎヒートポンプエアコン室内機の運転モードを切り替えることができ、１コイル式の第１〜第ｎヒートポンプエアコン室内機において冷房運転を行うとともに２コイル式の第１〜第ｎヒートポンプエアコン室内機において除湿運転と送風運転と暖房運転とのいずれかを行うことで、除湿運転が継続することによって室内の湿度が必要以上に低下することはなく、室内の湿度が適度な湿度から外れることや室内の温度が適度な温度から外れることはなく、設計範囲内の温湿度環境を作ることができ、室内の温湿度環境を最適に保持することができる。室内空調システムは、２コイル式の第１〜第ｎヒートポンプエアコン室内機が室内の温度を上昇させる暖房運転を行うことで、室内の温度が低い時期に室内の温度を上昇させることができ、室内の温度環境を最適に保持することができる。室内空調システムは、露点温度センサが測定した室内の露点温度によっては除湿運転が不要な場合があるが、その場合に２コイル式の第１〜第ｎヒートポンプエアコン室内機が加熱コイルおよび冷却コイルの交換熱を使用しない送風運転または冷却コイルの交換熱を使用せずに加熱コイルの交換熱を使用した暖房運転とのいずれかを行うことで、冷却コイルや加熱コイルにおける交換熱の使用を停止させるから、冷却コイルや加熱コイルにおいて無駄な熱エネルギーが消費されることはなく、システムの省エネを図ることができる。
【００２０】
露点温度センサが２コイル式の第１〜第ｎヒートポンプエアコン室内機のうちのいずれかの２コイル式のヒートポンプエアコン室内機の内部における室内空気取り入れ口近傍に設置され、２コイル式のヒートポンプエアコン室内機の内部における室内空気取り入れ口近傍の露点温度を測定し、露点温度センサが測定した２コイル式のヒートポンプエアコン室内機の内部における室内空気取り入れ口近傍の測定露点温度とあらかじめ設定された設定露点温度とを比較し、第１空調手段〜第３空調手段のうちのいずれかを実施する室内空調システムは、露点温度センサによって２コイル式の第１〜第ｎヒートポンプエアコン室内機のうちのいずれかの２コイル式のヒートポンプエアコン室内機の内部における室内空気取り入れ口近傍の露点温度が測定されることで、露点温度センサによって設定露点温度と比較する最適かつ的確な露点温度が測定され、その測定露点温度に応じて第１空調手段や第２空調手段、第３空調手段が行われるから、設計範囲内の温湿度環境を作ることができ、室内の温湿度環境を最適に保持することができる。
【００２１】
２コイル式の第１〜第ｎヒートポンプエアコン室内機のうちのいずれかの２コイル式のヒートポンプエアコン室内機の内部における室内空気取り入れ口近傍に設置されて乾球温度を測定する乾球温度センサを含み、乾球温度センサが測定した２コイル式のヒートポンプエアコン室内機の内部における室内空気取り入れ口近傍の測定乾球温度とあらかじめ設定された設定乾球温度とを比較し、測定露点温度が設定露点温度よりも低く、測定乾球温度が設定乾球温度よりも高い場合、２コイル式の第１〜第ｎヒートポンプエアコン室内機が送風運転を行うとともに、１コイル式の第１〜第ｎヒートポンプエアコン室内機が冷房運転を行い、測定露点温度が設定露点温度よりも低く、測定乾球温度が設定乾球温度よりも低い場合、２コイル式の第１〜第ｎヒートポンプエアコン室内機が暖房運転を行うとともに、１コイル式の第１〜第ｎヒートポンプエアコン室内機が冷房運転を行う室内空調システムは、測定露点温度が設定露点温度よりも低く、測定乾球温度が設定乾球温度よりも高い場合、２コイル式の第１〜第ｎヒートポンプエアコン室内機が送風運転を行うことで室内の温度の上昇を防ぐことができ、測定露点温度が設定露点温度よりも低く、測定乾球温度が設定乾球温度よりも低い場合、２コイル式の第１〜第ｎヒートポンプエアコン室内機が暖房運転を行うことで室内の温度を上昇させることができるから、室内の湿度が適度な湿度から外れることや室内の温度が適度な温度から外れることはなく、設計範囲内の温湿度環境を作ることができ、室内の温湿度環境を最適に保持することができる。
【００２２】
室内が手術室の室内であり、２コイル式の第１〜第ｎヒートポンプエアコン室内機と１コイル式の第１〜第ｎヒートポンプエアコン室内機とが手術室の手術台を囲むように手術室の室内に設置されている室内空調システムは、１コイル式の第１〜第ｎヒートポンプエアコン室内機が冷房運転を行うとともに室内の露点温度に応じて２コイル式の第１〜第ｎヒートポンプエアコン室内機が除湿運転と送風運転と暖房運転とのいずれかを行うことで、設計範囲内の温湿度環境を手術室に作ることができ、手術室の室内における温湿度環境を最適にすることができるとともに、医療従事者が良好な温湿度環境で手術や治療を行うことができる。
【００２３】
２コイル式の第１〜第ｎヒートポンプエアコン室内機と１コイル式の第１〜第ｎヒートポンプエアコン室内機とが床置き型であり、同数の２コイル式の第１〜第ｎヒートポンプエアコン室内機と１コイル式の第１〜第ｎヒートポンプエアコン室内機とが手術室の室内の隅または端あるいは壁内に設置され、２コイル式の第１〜第ｎヒートポンプエアコン室内機および１コイル式の第１〜第ｎヒートポンプエアコン室内機によって作られた空調空気が手術室の天井から給気される室内空調システムは、２コイル式の第１〜第ｎヒートポンプエアコン室内機と同数の床置き型の１コイル式の第１〜第ｎヒートポンプエアコン室内機が冷房運転を行うとともに、１コイル式の第１〜第ｎヒートポンプエアコン室内機と同数の床置き型の２コイル式の第１〜第ｎヒートポンプエアコン室内機が室内の露点温度に応じて除湿運転と送風運転と暖房運転とのいずれかを行うことで、設計範囲内の温湿度環境を手術室に作ることができ、手術室の室内における温湿度環境を最適にすることができるとともに、医療従事者が良好な温湿度環境で手術や治療を行うことができる。室内空調システムは、２コイル式の第１〜第ｎヒートポンプエアコン室内機と１コイル式の第１〜第ｎヒートポンプエアコン室内機とが手術室の室内の隅または端あるいは壁内に設置されるから、それら室内機が邪魔になることはなく、医療従事者が温湿度環境の整った良好な作業環境で手術や治療を行うことができる。
【００２４】
２コイル式の第１〜第ｎヒートポンプエアコン室内機のうちのいずれかの２コイル式のヒートポンプエアコン室内機の内部における室内空気取り入れ口近傍に設置され、１コイル式の第１〜第ｎヒートポンプエアコン室内機の比例制御に使用する乾球温度を測定する第２乾球温度センサを含み、露点温度センサと第１乾球温度センサと第２乾球温度センサとが同一の２コイル式のヒートポンプエアコン室内機の内部における室内空気取り入れ口近傍に設置されている室内空調システムは、露点温度センサや第１乾球温度センサ、第２乾球温度センサがそれぞれ別のヒートポンプエアコン室内機の内部に設置されて温度制御（比例制御）を行うと、それらヒートポンプエアコン室内機の運転動作に不具合（例えば、それらヒートポンプエアコン室内機の温度制御が不安定になり、冷房運転や暖房運転が特定のヒートポンプエアコン室内機に偏る）が生じる恐れがあるが、露点温度センサや第１乾球温度センサ、第２乾球温度センサを同一の２コイル式のヒートポンプエアコン室内機の内部に設置し、それら温度センサの測定温度に基づいて温度制御を行うことで、それらヒートポンプエアコン室内機の温度制御を安定させることができ、冷房運転や暖房運転の特定のヒートポンプエアコン室内機への偏りを防ぐことができ、室内の温湿度環境を最適に保持することができる。
【図面の簡単な説明】
【００２５】
【図１】室内空調システムを設置した一例として示す手術室の側面図。
【図２】室内空調システムを設置した手術室の上面図。
【図３】２コイル式の第１および第２ヒートポンプエアコン室内機の内部構造の一例を示す側面図。
【図４】１コイル式の第１および第２ヒートポンプエアコン室内機の内部構造の一例を示す側面図。
【図５】室内空調システムにおける制御の一例を表示した図。
【図６】高湿度環境、夏期、冬期および中間期の低温度時に室内空調システムが行う運転の一例を説明するフローチャート。
【図７】図６から続くフローチャート。
【発明を実施するための形態】
【００２６】
室内空調システム１０を設置した一例として示す手術室１５の側面図である図１等の添付の図面を参照し、本発明に係る室内空調システムの詳細を説明すると、以下のとおりである。なお、図２は、室内空調システム１０を設置した手術室１５の上面図であり、図３は、２コイル式の第１および第２ヒートポンプエアコン室内機１６ａ，１６ｂの内部構造の一例を示す側面図である。図４は、１コイル式の第１および第２ヒートポンプエアコン室内機１７ａ，１７ｂの内部構造の一例を示す側面図である。図２では、冷暖同時運転型ヒートポンプエアコン室外機１８の図示を省略している。
【００２７】
室内空調システム１０は、ヒートポンプ空調装置１１と露点温度センサ１２（図３参照）と第１乾球温度センサ１３（図３参照）と第２乾球温度センサ１４（図３参照）とを利用し、手術室１５の室内の温湿度を調整する。なお、室内空調システム１０は、手術室１５のみならず、空調を必要とするあらゆる室に構築することができ、それら室の室内の温湿度を調整することができる。
【００２８】
ヒートポンプ空調装置１１は、２台の２コイル式の第１および第２ヒートポンプエアコン室内機１６ａ，１６ｂ（冷媒レヒート型エアコン室内機）（２コイル式の第１〜第ｎヒートポンプエアコン室内機）と、２台の１コイル式の第１および第２ヒートポンプエアコン室内機１７ａ，１７ｂ（１コイル式の第１〜第ｎヒートポンプエアコン室内機）と、冷暖同時運転型ヒートポンプエアコン室外機１８とから構成されている。ヒートポンプ空調装置１１は、２コイル式の第１および第２ヒートポンプエアコン室内機１６ａ，１６ｂと１コイル式の第１および第２ヒートポンプエアコン室内機１７ａ，１７ｂと冷暖同時運転型ヒートポンプエアコン室外機１８とを利用して冷暖同時運転を行う。
【００２９】
手術室１５の天井１９には、天井埋め込み型の給気ユニット２０が取り付けられている。手術室１５の壁内には、コントローラ２１が設置され、手術室１５の内壁には、コントローラ２１に接続された操作パネル２２が取り付けられている。コントローラ２１は、中央処理部（ＣＰＵまたはＭＰＵ）とメモリ（メインメモリおよびキャッシュメモリ）とを有して独立したオペレーティングシステム（ＯＳ）によって動作する物理的なコンピュータであり、大容量記憶領域を実装している。
【００３０】
コントローラ２１の大容量記憶領域には、手術室１５の室内の温度および湿度と露点温度との相関関係が格納（記憶）されている（相関関係記憶手段）。コントローラ２１の大容量記憶領域には、手術室１５の室内の設定露点温度が格納（記憶）され、手術室１５の室内の設定乾球温度が格納（記憶）される。
【００３１】
操作パネル２２には、図示はしていないが、エアコンＯＮ／ＯＦＦボタン、温度設定ボタンが表示される。操作パネル２２のエアコンＯＮボタンをタップすると、ヒートポンプ空調装置１１が起動し、エアコンＯＦＦボタンをタップすると、ヒートポンプ空調装置１１が停止する。温度設定ボタンをタップすることで、手術室１５の室内の温度設定を行うことができる。
【００３２】
給気ユニット２０には、外気を取り入れる外気ダクト２３と、２コイル式の第１および第２ヒートポンプエアコン室内機１６ａ，１６ｂによって作られた空調空気が流入する第１給気ダクト２４と、１コイル式の第１および第２ヒートポンプエアコン室内機１７ａ，１７ｂによって作られた空調空気が流入する第２給気ダクト２５とが連結されている。外気が外気ダクト２３を通って給気ユニット２０に流入し、２コイル式の第１および第２ヒートポンプエアコン室内機１６ａ，１６ｂによって作られた空調空気が第１給気ダクト２４を通って給気ユニット２０に流入するとともに、１コイル式の第１および第２ヒートポンプエアコン室内機１７ａ，１７ｂによって作られた空調空気が第２給気ダクト２５を通って給気ユニット２０に流入する。
【００３３】
給気ユニット２０の内部には、ＨＥＰＡフィルタ２６が設置されている。２コイル式の第１および第２ヒートポンプエアコン室内機１６ａ，１６ｂと１コイル式の第１および第２ヒートポンプエアコン室内機１７ａ，１７ｂとによって作られた空調空気は、ＨＥＰＡフィルタ２６を通流した後、給気ユニット２０の空気吹き出し口から給気され、手術室１５の天井１９から床２７に向かって手術室１５の室内に給気される。
【００３４】
冷暖同時運転型ヒートポンプエアコン室外機１８は、その制御部（図示せず）が信号線（図示せず）によってコントローラ２１に接続されている。冷暖同時運転型ヒートポンプエアコン室外機１８には、熱媒配管２８が連結されている。冷暖同時運転型ヒートポンプエアコン室外機１８から延びる熱媒配管２８は、手術室１５の室外に設置された分岐ユニット２９（図２参照）に連結されている。
【００３５】
２コイル式の第１および第２ヒートポンプエアコン室内機１６ａ，１６ｂは、１コイル式の第１および第２ヒートポンプエアコン室内機１７ａ，１７ｂと同数の２台である。２コイル式の第１および第２ヒートポンプエアコン室内機１６ａ，１６ｂは、床置き型であって、手術室１５の手術台（図示せず）を囲むように手術室１５の室内（同一の室内）に設置されている。
【００３６】
２コイル式の第１ヒートポンプエアコン室内機１６ａと２コイル式の第２ヒートポンプエアコン室内機１６ｂとは、図２に示すように、それら２コイル式の第１および第２ヒートポンプエアコン室内機１６ａ，１６ｂが対角方向へ対向するように手術室１５の角部（隅または端）に設置されている。なお、２コイル式の第１および第２ヒートポンプエアコン室内機１６ａ，１６ｂが手術室１５の室内の壁内に設置されていてもよい。２コイル式のヒートポンプエアコン室内機の台数に制限はなく、手術室１５の空調空間の容積によって３台以上の２コイル式のヒートポンプエアコン室内機が手術室１５の手術台を囲むように手術室１５の室内の隅または端あるいは壁内に設置されていてもよい。
【００３７】
２コイル式の第１ヒートポンプエアコン室内機１６ａと２コイル式の第２ヒートポンプエアコン室内機１６ｂとは、筐体３０（ケーシング）と、筐体３０に収容された冷却コイル３１と、筐体３０に収容された加熱コイル３２と、筐体３０に収容された送風ファン３３と、筐体３０に収容されたドレンパン３４とから形成されている。２コイル式の第１および第２ヒートポンプエアコン室内機１６ａ，１６ｂは、その制御部３５が信号線（図示せず）によってコントローラ２１に接続されている。
【００３８】
２コイル式の第１および第２ヒートポンプエアコン室内機１６ａ，１６ｂの筐体３０は、前後壁と頂底壁と両側壁とを有する六面体である。筐体３０の前壁下部には、室内空気取り入れ口３６が作られ、筐体３０の頂壁には、空気吹き出し口３７が作られている。筐体３０の空気吹き出し口３７には、給気ユニット２０につながる第１給気ダクト２４が連結されている。
【００３９】
２コイル式の第１および第２ヒートポンプエアコン室内機１６ａ，１６ｂの冷却コイル３１には、分岐ユニット２９から延びる冷却コイル用熱媒配管３８が連結されている。２コイル式の第１および第２ヒートポンプエアコン室内機１６ａ，１６ｂの加熱コイル３２には、分岐ユニット２９から延びる加熱コイル用熱媒配管３９が連結されている。
【００４０】
冷却コイル３１の近傍に延びる冷却コイル用熱媒配管３８には、冷却コイル３１への熱媒流体の流入をＯＮ／ＯＦＦするとともに、冷却コイル３１への熱媒流体の流入量を調節する冷却コイル用制御バルブ（図示せず）が設置されている。加熱コイル３２の近傍に延びる加熱コイル用熱媒配管３９には、加熱コイル３２への熱媒流体の流入をＯＮ／ＯＦＦするとともに、加熱コイル３２への熱媒流体の流入量を調節する加熱コイル用制御バルブ（図示せず）が設置されている。
【００４１】
送風ファン３３は、筐体３０の頂壁の直下に設置され、２コイル式の第１および第２ヒートポンプエアコン室内機１６ａ，１６ｂによって作られた空調空気を第１給気ダクト２４に流入させる。ドレンパン３４は、冷却コイル３１の直下に設置され、冷却コイル３１から滴下した水滴を捕集し、水滴を外部に排水する。
【００４２】
２コイル式の第１ヒートポンプエアコン室内機１６ａと２コイル式の第２ヒートポンプエアコン室内機１６ｂとは、冷却コイル３１の交換熱で冷却除湿した後に加熱コイル３２の交換熱によって再熱した除湿運転と、冷却コイル３１の交換熱および加熱コイル３２の交換熱を使用しない送風運転と、冷却コイル３１の交換熱を使用せずに加熱コイル３２の交換熱を使用した暖房運転とのいずれかを行う。除湿運転では、冷却コイル３１と加熱コイル３２とに熱媒流体が通流する。送風運転では、冷却コイル３１および加熱コイル３２への熱媒流体の流入が停止する。暖房運転では、加熱コイル３２に熱媒流体が通流し、冷却コイル３１への熱媒流体の流入が停止する。
【００４３】
１コイル式の第１および第２ヒートポンプエアコン室内機１７ａ，１７ｂは、２コイル式の第１および第２ヒートポンプエアコン室内機１６ａ，１６ｂと同数の２台である。１コイル式の第１および第２ヒートポンプエアコン室内機１７ａ，１７ｂは、床置き型であって、手術室１５の手術台を囲むように手術室１５の室内（同一の室内）に設置されている。
【００４４】
１コイル式の第１ヒートポンプエアコン室内機１７ａと１コイル式の第２ヒートポンプエアコン室内機１７ｂとは、図２に示すように、それら１コイル式の第１および第２ヒートポンプエアコン室内機１７ａ，１７ｂが対角方向へ対向するように手術室１５の角部（隅または端）に設置されている。なお、１コイル式の第１および第２ヒートポンプエアコン室内機１７ａ，１７ｂが手術室１５の室内の壁内に設置されていてもよい。１コイル式のヒートポンプエアコン室内機の台数に制限はなく、手術室１５の空調空間の容積によって３台以上の１コイル式のヒートポンプエアコン室内機が手術室１５の手術台を囲むように手術室１５の室内の隅または端あるいは壁内に設置されていてもよい。
【００４５】
１コイル式の第１ヒートポンプエアコン室内機１７ａと１コイル式の第２ヒートポンプエアコン室内機１７ｂとは、筐体４０（ケーシング）と、筐体４０に収容された冷却コイル４１と、筐体４０に収容された送風ファン４２と、筐体４０に収容されたドレンパン４３とから形成されている。１コイル式の第１および第２ヒートポンプエアコン室内機１７ａ，１７ｂは、その制御部４４が信号線（図示せず）によってコントローラ２１に接続されている。
【００４６】
１コイル式の第１および第２ヒートポンプエアコン室内機の筐体１７ａ，１７ｂは、前後壁と頂底壁と両側壁とを有する六面体である。筐体４０の前壁下部には、空気取り入れ口４５が作られ、筐体４０の頂壁には、空気吹き出し口４６が作られている。筐体４２の空気吹き出し口４６には、給気ユニット２０につながる第２給気ダクト２５が連結されている。
【００４７】
１コイル式の第１および第２ヒートポンプエアコン室内機１７ａ，１７ｂの冷却コイル４１には、分岐ユニット２９から延びる冷却コイル用熱媒配管４７が連結されている。冷却コイル４１の近傍に延びる冷却コイル用熱媒配管４７には、冷却コイル４１への熱媒流体の流入を調節する冷却コイル用制御バルブ（図示せず）が設置されている。
【００４８】
送風ファン４２は、筐体４０の頂壁の直下に設置され、１コイル式の第１および第２ヒートポンプエアコン室内機１７ａ，１７ｂによって作られた空調空気を第２給気ダクト２５に流入させる。ドレンパン４３は、冷却コイル４１の直下に設置され、冷却コイル４１から滴下した水滴を捕集し、水滴を外部に排水する。１コイル式の第１ヒートポンプエアコン室内機１７ａと１コイル式の第２ヒートポンプエアコン室内機１７ｂとは、冷却コイル４１の交換熱を使用した冷房運転を行う。
【００４９】
冷暖同時運転型ヒートポンプエアコン室外機１８は、２コイル式の第１および第２ヒートポンプエアコン室内機１６ａ，１６ｂと１コイル式の第１および第２ヒートポンプエアコン室内機１７ａ，１７ｂとに熱媒配管２８，３８，３９，４７によって熱媒流体を送るとともに、それら２コイル式の第１および第２ヒートポンプエアコン室内機１６ａ，１６ｂとそれら１コイル式の第１および第２ヒートポンプエアコン室内機１７ａ，１７ｂとの熱交換に利用された熱媒流体が還流する。冷暖同時運転型ヒートポンプエアコン室外機１８は、その制御部（図示せず）が信号線によってコントローラ２１に接続されている。
【００５０】
露点温度センサ１２は、２コイル式の第１ヒートポンプエアコン室内機１６ａの内部における室内空気取り入れ口３６の近傍に設置されている。露点温度センサ１２は、信号線（図示せず）によってコントローラ２１に接続されている。露点温度センサ１２は、２コイル式の第１ヒートポンプエアコン室内機１６ａの内部における室内空気取り入れ口３６の近傍の露点温度を測定し、測定した測定露点温度をコントローラ２１に送信する。
【００５１】
第１乾球温度センサ１３は、２コイル式の第１ヒートポンプエアコン室内機１６ａの内部における室内空気取り入れ口３６の近傍に設置されている。第１乾球温度センサ１３は、信号(図示せず)線によってコントローラ２１に接続されている。第１乾球温度センサ１３は、２コイル式の第１ヒートポンプエアコン室内機１６ａの内部における室内空気取り入れ口３６の近傍の乾球温度を測定し、測定した測定乾球温度をコントローラ２１に送信する。
【００５２】
第２乾球温度センサ１４は、２コイル式の第１ヒートポンプエアコン室内機１６ａの内部における室内空気取り入れ口３６の近傍に設置されている。第２乾球温度センサ１４は、信号線（図示せず）によってコントローラ２１に接続されている。第２乾球温度センサ１４は、２コイル式の第１ヒートポンプエアコン室内機１６ａの内部における室内空気取り入れ口３６の近傍の乾球温度を測定し、測定した測定乾球温度をコントローラ２１に送信する。
【００５３】
図５は、室内空調システム１０における制御の一例を表示した図であり、図６は、高湿度環境、夏期、冬期および中間期の低温度時に室内空調システム１０が行う運転の一例を説明するフローチャートである。図７は、図６から続くフローチャートである。
【００５４】
最初に手術室１５の室内の温度を設定する。温度を設定するには、操作パネル２２に表示された温度設定ボタンをタップする。温度設定ボタンをタップすると、操作パネル２２に設定温度入力エリア、設定確認ボタンが表示される。設定温度入力エリアに設定温度を入力する（Ｓ−１０）。設定温度を入力した後、設定確認ボタンをタップする。
【００５５】
操作パネル２２の設定確認ボタンをタップすると、コントローラ２１は、入力された設定温度を設定乾球温度として決定し、決定した設定乾球温度を設定温度の入力日時に関連付けた状態で記憶領域に格納（記憶）する。コントローラ２１は、入力された設定温度を記憶領域に格納した相関関係に当て嵌め、入力（選択）された設定温度に対応する露点温度を割り出し、割り出した露点温度を設定露点温度として決定する（設定露点温度決定手段）（Ｓ−１１）。コントローラ２１は、決定した設定露点温度を設定温度および設定湿度の入力日時に関連付けた状態で記憶領域に格納（記憶）する。
【００５６】
例えば、設定温度として２４℃を入力すると、コントローラ２１は、温度２４℃および湿度５０％を相関関係に当て嵌め、設定露点温度を１２℃に決定する。コントローラ２１は、決定した設定露点温度１２℃を設定温度および設定湿度の入力日時に関連付けた状態で記憶領域に格納（記憶）する。操作パネル２２の温度設定ボタンをタップすることで、設定温度を再度入力することができる。
【００５７】
操作パネル２２のエアコンＯＮボタンをタップすると、起動信号がコントローラ２１から冷暖同時運転型ヒートポンプエアコン室外機１８の制御部に送信され、起動信号がコントローラ２１から２コイル式の第１および第２ヒートポンプエアコン室内機１６ａ，１６ｂの制御部に送信されるとともに、起動信号がコントローラ２１から１コイル式の第１および第２ヒートポンプエアコン室内機１７ａ，１７ｂの制御部に送信される。中間期の高湿度環境および夏期において室内空調システム１０の起動時には、第１空調手段が実施される。
【００５８】
コントローラ２１から起動信号を受信した冷暖同時運転型ヒートポンプエアコン室外機１８の制御部は、冷暖同時運転型ヒートポンプエアコン室外機１８を起動させ、熱交換を行った熱媒流体を分岐ユニット２９に流入させ、熱媒流体を分岐ユニット２９を介して２コイル式の第１および第２ヒートポンプエアコン室内機１６ａ，１６ｂと１コイル式の第１および第２ヒートポンプエアコン室内機１７ａ，１７ｂとに供給する。
【００５９】
コントローラ２１から起動信号を受信した２コイル式の第１および第２ヒートポンプエアコン室内機１６ａ，１６ｂの制御部は、送風ファン３３を起動させ、冷却コイル用制御バルブの開閉機構を開放させるとともに、加熱コイル用制御バルブの開閉機構を開放させる。コントローラ２１から起動信号を受信した１コイル式の第１および第２ヒートポンプエアコン室内機１７ａ，１７ｂの制御部は、送風ファン４２を起動させ、冷却コイル用制御バルブの開閉機構を開放させる。
【００６０】
冷暖同時運転型ヒートポンプエアコン室外機１８から供給された熱媒流体は、往き用の熱媒配管２８を通って分岐ユニット２９に流入し、分岐ユニット２９から往き用の冷却コイル用熱媒配管３８を通って２コイル式の第１および第２ヒートポンプエアコン室内機１６ａ，１６ｂの冷却コイル３１に流入し、分岐ユニット２９から往き用の加熱コイル用熱媒配管３９を通って２コイル式の第１および第２ヒートポンプエアコン室内機１６ａ，１６ｂの加熱コイル３２に流入するとともに、分岐ユニット２９から往き用の冷却コイル用熱媒配管４７を通って１コイル式の第１および第２ヒートポンプエアコン室内機１７ａ，１７ｂの冷却コイル４１に流入する。
【００６１】
２コイル式の第１および第２ヒートポンプエアコン室内機１６ａ，１６ｂでは、冷却コイル３１と加熱コイル３２とに熱媒流体が通流し、加冷却コイル３１および熱コイル３２において熱交換が行われることで、除湿運転が実施される（第１空調手段）（Ｓ−１２）。除湿運転では、手術室１５の室内の空気が２コイル式の第１および第２ヒートポンプエアコン室内機１６ａ，１６ｂの空気取り入れ口４５から２コイル式の第１および第２ヒートポンプエアコン室内機１６ａ，１６ｂの内部に流入し、冷却コイル３１の交換熱を使用して冷却除湿された冷却除湿空気が加熱コイル３２の交換熱を使用して再熱され、除湿された所定温度の空調空気が作られる。
【００６２】
除湿された空調空気は、送風ファン３３によって２コイル式の第１および第２ヒートポンプエアコン室内機１６ａ，１６ｂの空気吹き出し口３７から第１給気ダクト２４に流入する。２コイル式の第１および第２ヒートポンプエアコン室内機１６ａ，１６ｂの冷却コイル３１および加熱コイル３２によって作られた除湿された空調空気は、第１給気ダクト２４から給気ユニット２０に流入し、ＨＥＰＡフィルタ２６を通流しつつ給気ユニット２０の空気吹き出し口から手術室１５の室内に給気される。
【００６３】
２コイル式の第１および第２ヒートポンプエアコン室内機１６ａ，１６ｂの冷却コイル３１および加熱コイル３２において熱交換が行われた熱媒流体は、還り用の冷却コイル用熱媒配管３８および還り用の加熱コイル用熱媒配管３９を通って分岐ユニット２９に流入し、分岐ユニット２９から還り用の熱媒配管２８を通って冷暖同時運転型ヒートポンプエアコン室外機１８に還流する。
【００６４】
１コイル式の第１および第２ヒートポンプエアコン室内機１７ａ，１７ｂでは、冷却コイル４１に熱媒流体が通流し、冷却コイル４１において熱交換が行われることで、冷房運転が実施される（第１空調手段）（Ｓ−１２）。冷房運転では、手術室１５の室内の空気が１コイル式の第１および第２ヒートポンプエアコン室内機１７ａ，１７ｂの空気取り入れ口４５から１コイル式の第１および第２ヒートポンプエアコン室内機１７ａ，１７ｂの内部に流入し、冷却コイル４１の交換熱を使用して冷却された空調空気が作られる。
【００６５】
冷却された空調空気は、送風ファン４２によって１コイル式の第１および第２ヒートポンプエアコン室内機１７ａ，１７ｂの空気吹き出し口４６から第２給気ダクト２５に流入する。１コイル式の第１および第２ヒートポンプエアコン室内機１７ａ，１７ｂの冷却コイル４１によって作られた冷却された空調空気は、第２給気ダクト２５から給気ユニット２０に流入し、ＨＥＰＡフィルタ２６を通流しつつ給気ユニット２０の空気吹き出し口から手術室１５の室内に給気される。
１コイル式の第１および第２ヒートポンプエアコン室内機の冷却コイル１７ａ，１７ｂにおいて熱交換が行われた熱媒流体は、還り用の冷却コイル用熱媒配管４７を通って分岐ユニット２９に流入し、分岐ユニット２９から還り用の熱媒配管２８を通って冷暖同時運転型ヒートポンプエアコン室外機１８に還流する。
【００６６】
２コイル式の第１および第２ヒートポンプエアコン室内機１６ａ，１６ｂにおける除湿運転の実施中に露点温度センサ１２は、２コイル式の第１ヒートポンプエアコン室内機１６ａの内部における室内空気取り入れ口３６の近傍の露点温度を測定し、測定した測定露点温度をコントローラ２１に送信する。２コイル式の第１および第２ヒートポンプエアコン室内機１６ａ，１６ｂにおける除湿運転の実施中に第１乾球温度センサ１３は、２コイル式の第１ヒートポンプエアコン室内機１６ａの内部における室内空気取り入れ口３６の近傍の乾球温度を測定し、測定した測定乾球温度をコントローラ２１に送信する。さらに、１コイル式の第１ヒートポンプエアコン室内機１７ａ，１７ｂにおける冷房運転の実施中に第２乾球温度センサ１４は、２コイル式の第１ヒートポンプエアコン室内機１６ａの内部における室内空気取り入れ口３６の近傍の乾球温度を測定し、測定した測定乾球温度をコントローラ２１に送信する。
【００６７】
第１空調手段の実施中にコントローラ２１は、露点温度センサ１２から送信された測定露点温度と設定露点温度決定手段によって決定した設定露点温度とを比較し、測定露点温度が設定露点温度より高いかを判断する（Ｓ−１３）。測定露点温度が設定露点温度より高い場合、コントローラ２１は、第１空調手段を継続して実施する。したがって、２コイル式の第１および第２ヒートポンプエアコン室内機１６ａ，１６ｂにおいて除湿運転が継続して行われ、１コイル式の第１および第２ヒートポンプエアコン室内機１７ａ，１７ｂにおいて冷房運転が継続して行われる（Ｓ−１４）。
【００６８】
第１空調手段では、測定露点温度が設定露点温度より高い場合、２コイル式の第１および第２ヒートポンプエアコン室内機１６ａ，１６ｂの冷却コイル３１において測定露点温度に応じて比例制御が行われる。第１空調手段の２コイル式の第１および第２ヒートポンプエアコン室内機１６ａ，１６ｂの冷却コイル３１における比例制御では、露点温度センサによって測定された測定露点温度に応じて２コイル式の第１および第２ヒートポンプエアコン室内機１６ａ，１６ｂの冷却コイル３１の冷却機能が０〜１００％の間で調節される。
【００６９】
また、第１空調手段では、２コイル式の第１および第２ヒートポンプエアコン室内機１６ａ，１６ｂの加熱コイル３２において測定乾球温度に応じて比例制御が行われる。第１空調手段の２コイル式の第１および第２ヒートポンプエアコン室内機１６ａ，１６ｂの加熱コイル３２における比例制御では、第１乾球温度センサ１３が測定した測定乾球温度に応じて２コイル式の第１および第２ヒートポンプエアコン室内機１６ａ，１６ｂの加熱コイル３２の加熱機能が０〜１００％の間で調節される。
【００７０】
さらに、第１空調手段では、１コイル式の第１および第２ヒートポンプエアコン室内機１７ａ，１７ｂの冷却コイル４１において測定乾球温度に応じて比例制御が行われる。第１空調手段の１コイル式の第１および第２ヒートポンプエアコン室内機１７ａ，１７ｂの冷却コイル４１における比例制御では、第２乾球温度センサ１４が測定した測定乾球温度に応じて１コイル式の第１および第２ヒートポンプエアコン室内機１７ａ，１７ｂの冷却コイル４１の冷却機能が０〜１００％の間で調節される。
【００７１】
ステップ１３（Ｓ−１３）において、測定露点温度と設定露点温度とを比較した結果、測定露点温度が設定露点温度より低い場合、室内空調システム１０では、第２空調手段が実施される。測定露点温度が設定露点温度より低い場合、コントローラ２１は、２コイル式の第１および第２ヒートポンプエアコン室内機１６ａ，１６ｂの制御部に冷却コイル３１につながる往き用の冷却コイル用熱媒配管３８の閉信号を送信するとともに、加熱コイル３２につながる往き用の加熱コイル用熱媒配管３９の閉信号を送信する。
【００７２】
コントローラ２１から往き用の冷却コイル用熱媒配管３８および往き用の加熱コイル用熱媒配管３９の閉信号を受信した２コイル式の第１および第２ヒートポンプエアコン室内機１６ａ，１６ｂの制御部は、冷却コイル用制御バルブの開閉機構を閉鎖し、往き用の冷却コイル用熱媒配管３８から冷却コイル３１への冷媒流体の流入を停止させるとともに、加熱コイル用制御バルブの開閉機構を閉鎖し、往き用の加熱コイル用熱媒配管３９から加熱コイル３２への冷媒流体の流入を停止させる。
【００７３】
２コイル式の第１および第２ヒートポンプエアコン室内機１６ａ，１６ｂでは、冷却コイル３１および加熱コイル３２の交換熱を使用しない送風運転が行われ（第２空調手段）、１コイル式の第１および第２ヒートポンプエアコン室内機１７ａ，１７ｂでは、冷房運転が継続して行われる（第２空調手段）（Ｓ−１５）。
【００７４】
送風運転では、手術室１５の室内の空気が２コイル式の第１および第２ヒートポンプエアコン室内機１６ａ，１６ｂの空気取り入れ口３６から２コイル式の第１および第２ヒートポンプエアコン室内機１６ａ，１６ｂの内部に流入し、その空気が送風ファン３３によって給気ユニット２０の空気吹き出し口から手術室１５の室内に給気される。
【００７５】
なお、第２空調手段における１コイル式の第１および第２ヒートポンプエアコン室内機１７ａ，１７ｂの冷房運転では、手術室１５の室内の空気が１コイル式の第１および第２ヒートポンプエアコン室内機１７ａ，１７ｂの空気取り入れ口４５から１コイル式の第１および第２ヒートポンプエアコン室内機１７ａ，１７ｂの内部に流入し、冷却コイル４１の交換熱を使用して冷却された空調空気が送風ファン４２によって給気ユニット２０の空気吹き出し口から手術室１５の室内に給気される。
【００７６】
第２空調手段では、１コイル式の第１および第２ヒートポンプエアコン室内機１７ａ，１７ｂの冷却コイル４１において測定乾球温度に応じて比例制御が行われる。第２空調手段の１コイル式の第１および第２ヒートポンプエアコン室内機１７ａ，１７ｂの冷却コイル４１における比例制御では、第２乾球温度センサ１４が測定した測定乾球温度に応じて１コイル式の第１および第２ヒートポンプエアコン室内機１７ａ，１７ｂの冷却コイル４１の冷却機能が０〜１００％の間で調節される。
【００７７】
第２空調手段の実施中にコントローラ２１は、第１乾球温度センサ１３から送信された測定乾球温度と設定乾球温度とを比較し、測定乾球温度が設定乾球温度より低いかを判断する（Ｓ−１６）。測定乾球温度が設定乾球温度より高い場合、コントローラ２１は、第２空調手段を継続して実施する。したがって、２コイル式の第１および第２ヒートポンプエアコン室内機１６ａ，１６ｂにおいて送風運転が継続して行われ、１コイル式の第１および第２ヒートポンプエアコン室内機１７ａ，１７ｂにおいて冷房運転が継続して行われる（Ｓ−１７）。
【００７８】
ステップ１６（Ｓ−１６）において、測定乾球温度と設定乾球温度とを比較した結果、測定乾球温度が設定乾球温度より低い場合、室内空調システム１０では、第３空調手段が実施される。測定乾球温度が設定乾球温度より低い場合、コントローラ２１は、２コイル式の第１および第２ヒートポンプエアコン室内機１６ａ，１６ｂの制御部に冷却コイル３１につながる往き用の冷却コイル用熱媒配管３８の閉信号を送信するとともに、加熱コイル３２につながる往き用の加熱コイル用熱媒配管３９の開信号を送信する。
【００７９】
コントローラ２１から往き用の冷却コイル用熱媒配管３８の閉信号および往き用の加熱コイル用熱媒配管３９の開信号を受信した２コイル式の第１および第２ヒートポンプエアコン室内機１６ａ，１６ｂの制御部は、冷却コイル用制御バルブの開閉機構を閉鎖し、往き用の冷却コイル用熱媒配管３８から冷却コイル３１への冷媒流体の流入を停止させるとともに、加熱コイル用制御バルブの開閉機構を開放し、往き用の加熱コイル用熱媒配管３９から加熱コイル３２へ冷媒流体を流入させる。
【００８０】
２コイル式の第１および第２ヒートポンプエアコン室内機１６ａ，１６ｂでは、加熱コイル３２の交換熱を使用するとともに冷却コイル３１の交換熱を使用しない暖房運転が行われ（第３空調手段）、１コイル式の第１および第２ヒートポンプエアコン室内機１７ａ，１７ｂでは、冷房運転が継続して行われる（第３空調手段）（Ｓ−１８）。
【００８１】
暖房運転では、手術室１５の室内の空気が２コイル式の第１および第２ヒートポンプエアコン室内機１６ａ，１６ｂの空気取り入れ口３６から２コイル式の第１および第２ヒートポンプエアコン室内機１６ａ，１６ｂの内部に流入し、加熱コイル３２の交換熱を使用して加熱された空調空気が送風ファン３３によって給気ユニット２０の空気吹き出し口から手術室１５の室内に給気される。
【００８２】
なお、第３空調手段における１コイル式の第１および第２ヒートポンプエアコン室内機１７ａ，１７ｂの冷房運転では、手術室１５の室内の空気が１コイル式の第１および第２ヒートポンプエアコン室内機１７ａ，１７ｂの空気取り入れ口４５から１コイル式の第１および第２ヒートポンプエアコン室内機１７ａ，１７ｂの内部に流入し、冷却コイル４１の交換熱を使用して冷却された空調空気が送風ファン４２によって給気ユニット２０の空気吹き出し口から手術室１５の室内に給気される。
【００８３】
第３空調手段では、２コイル式の第１および第２ヒートポンプエアコン室内機１６ａ，１６ｂの加熱コイル３２において測定乾球温度に応じて比例制御が行われる。第３空調手段の２コイル式の第１および第２ヒートポンプエアコン室内機１６ａ，１６ｂの加熱コイル３２における比例制御では、第１乾球温度センサ１３が測定した測定乾球温度に応じて２コイル式の第１および第２ヒートポンプエアコン室内機１６ａ，１６ｂの加熱コイル３２の加熱機能が０〜１００％の間で調節される。
【００８４】
第３空調手段では、１コイル式の第１および第２ヒートポンプエアコン室内機１７ａ，１７ｂの冷却コイル４１において測定乾球温度に応じて比例制御が行われる。第３空調手段の１コイル式の第１および第２ヒートポンプエアコン室内機１７ａ，１７ｂの冷却コイル４１における比例制御では、第２乾球温度センサ１４が測定した測定乾球温度に応じて１コイル式の第１および第２ヒートポンプエアコン室内機１７ａ，１７ｂの冷却コイル４１の冷却機能が０〜１００％の間で調節される。
【００８５】
第１空調手段または第２空調手段あるいは第３空調手段の実施中にコントローラ２１は、室内空調システム１０の運転を係属するかまたは停止するかを判断する（Ｓ−１９）。第１空調手段または第２空調手段あるいは第３空調手段の実施中に操作パネル２２のエアコンＯＦＦボタンがタップされた場合、コントローラ２１は、冷暖同時運転型ヒートポンプエアコン室外機１８の制御部に停止信号を送信し、２コイル式の第１および第２ヒートポンプエアコン室内機１６ａ，１６ｂの制御部に停止信号を送信するとともに、１コイル式の第１および第２ヒートポンプエアコン室内機１７ａ，１７ｂの制御部に停止信号を送信する。
【００８６】
コントローラ２１から停止信号を受信した冷暖同時運転型ヒートポンプエアコン室外機１８の制御部は、冷暖同時運転型ヒートポンプエアコン室外機１８を停止させる。
【００８７】
第１空調手段または第２空調手段あるいは第３空調手段の実施中に操作パネル２２のエアコンＯＦＦボタンがタップされないかぎり、コントローラ２１は、ステップ１９（Ｓ−１９）において第１空調手段または第２空調手段あるいは第３空調手段を継続して実施すると判断する。コントローラ２１は、ステップ１３（Ｓ−１３）に戻って露点温度センサ１２から送信された測定露点温度と設定露点温度決定手段によって決定した設定露点温度とを比較し、測定露点温度が設定露点温度より高いかを判断し、ステップ１３（Ｓ−１３）からの手順を繰り返す。
【００８８】
室内空調システム１０は、２コイル式の第１および第２ヒートポンプエアコン室内機１６ａ，１６ｂ（２コイル式の第１〜第ｎヒートポンプエアコン室内機）が冷却コイル３１の交換熱を使用して冷却除湿した冷却除湿空気を加熱コイル３２の交換熱を使用して再熱する除湿運転と、冷却コイル３１および加熱コイル３２の交換熱を使用しない送風運転と、冷却コイル３１の交換熱を使用せずに加熱コイル３２の交換熱を使用した暖房運転とのいずれかを行い、１コイル式の第１および第２ヒートポンプエアコン室内機１７ａ，１７ｂ（１コイル式の第１〜第ｎヒートポンプエアコン室内機）が冷却コイル４１の交換熱を使用した冷房運転を行い、測定露点温度が設定露点温度よりも高い場合、２コイル式の第１および第２ヒートポンプエアコン室内機１６ａ，１６ｂが除湿運転を行うとともに１コイル式の第１および第２ヒートポンプエアコン室内機１７ａ，１７ｂが冷房運転を行う第１空調手段を実施し、測定露点温度が設定露点温度よりも低い場合、２コイル式の第１および第２ヒートポンプエアコン室内機１６ａ，１６ｂが送風運転を行うとともに１コイル式の第１および第２ヒートポンプエアコン室内機１７ａ，１７ｂが冷房運転を行う第２空調手段を実施し、測定露点温度が設定露点温度よりも低く、測定乾球温度が設定乾球温度より低い場合、２コイル式のヒートポンプエアコン室内機１６ａ，１６ｂが暖房運転を行うとともに１コイル式のヒートポンプエアコン室内機１７ａ，１７ｂが冷房運転を行う第３空調手段を実施するから、手術室１５の室内の露点温度や乾球温度に応じて２コイル式の第１〜第２ヒートポンプエアコン室内機１６ａ，１６ｂ１６ａ，１６ｂの運転モードを切り替えることができ、１コイル式の第１〜第２ヒートポンプエアコン室内機１７ａ，１７ｂにおいて冷房運転を行うとともに２コイル式の第１〜第２ヒートポンプエアコン室内機１６ａ，１６ｂにおいて除湿運転と送風運転と暖房運転とのいずれかを行うことで、除湿運転が継続することによって手術室１５の室内の湿度が必要以上に低下することはなく、室内の湿度が適度な湿度から外れることや室内の温度が適度な温度から外れることはなく、温度と湿度とのバランスが整った良好な温湿度環境を作ることができ、手術室１５の室内の温湿度環境を最適に保持することができる。
【００８９】
室内空調システム１０は、２コイル式の第１〜第２ヒートポンプエアコン室内機１６ａ，１６ｂが手術室１５の室内の温度を上昇させる暖房運転を行うことで、室内の温度が低い時期に室内の温度を上昇させることができ、室内の温度環境を最適に保持することができる。室内空調システム１０は、露点温度センサ１２が測定した室内の露点温度によっては除湿運転が不要な場合があるが、その場合に２コイル式の第１〜第２ヒートポンプエアコン室内機１６ａ，１６ｂが冷却コイル３１および加熱コイル３２の交換熱を使用しない送風運転または冷却コイル３１の交換熱を使用せずに加熱コイル３２の交換熱を使用した暖房運転とのいずれかを行うことで、冷却コイル３１や加熱コイル３２における交換熱の使用を停止させるから、冷却コイル３１や加熱コイル３２において無駄な熱エネルギーが消費されることはなく、システム１０の省エネを図ることができる。
【符号の説明】
【００９０】
１０    室内空調システム
１１    ヒートポンプ空調装置
１２    露点温度センサ
１３    第１乾球温度センサ
１４    第２乾球温度センサ
１５    手術室
１６ａ  ２コイル式の第１ヒートポンプエアコン室内機
１６ｂ  ２コイル式の第２ヒートポンプエアコン室内機
１７ａ  １コイル式の第１ヒートポンプエアコン室内機
１７ｂ  １コイル式の第２ヒートポンプエアコン室内機
１８    冷暖同時運転型ヒートポンプエアコン室外機
１９    天井
２０    給気ユニット
２１    コントローラ
２２    操作パネル
２３    外気ダクト
２４    第１給気ダクト
２５    第２給気ダクト
２６    ＨＥＰＡフィルタ
２７    床
２８    熱媒配管
２９    分岐ユニット
３０    筐体
３１    冷却コイル
３２    加熱コイル
３３    送風ファン
３４    ドレンパン
３５    制御部
３６    室内空気取り入れ口
３７    空気吹き出し口
３８    冷却コイル用熱媒配管
３９    加熱コイル用熱媒配管
４０    筐体
４１    冷却コイル
４２    送風ファン
４３    ドレンパン
４４    制御部
４５    室内空気取り入れ口
４６    空気吹き出し口
４７    冷却コイル用熱媒配管
【図１】
2020067203.tif 000003
【図２】
2020067203.tif 000004
【図３】
2020067203.tif 000005
【図４】
2020067203.tif 000006
【図５】
2020067203.tif 000007
【図６】
2020067203.tif 000008
【図７】
2020067203.tif 000009